(57)【要約】【課題】  強風等により網戸が勝手に動くのを防止できるサッシの提供。【解決手段】  枠１と網戸２とを備え、竪枠３ａにロック部品４が取付けてあり、網戸２の戸先部３１に受け部品５が取付けてあり、ロック部品４は、操作部６を操作することで受け部品５と係脱するものであり、操作部６は、障子９ａを閉鎖した状態で障子９ａの戸先部４８にのみ込まれている。【選択図】      図１
2015232218.tif 000002
【特許請求の範囲】
【請求項１】
枠と網戸とを備え、竪枠にロック部品が取付けてあり、網戸の戸先部に受け部品が取付けてあり、ロック部品は、操作部を操作することで受け部品と係脱するものであり、操作部は、障子を閉鎖した状態で障子の戸先部にのみ込まれていることを特徴とするサッシ。
【請求項２】
枠と網戸とを備え、竪枠にロック部品が取付けてあり、網戸の戸先部に受け部品が取付けてあり、ロック部品は、上下にスライドして受け部品と係脱する係合部を有し、係合部は、網戸を閉鎖したときに網戸の戸先部にのみ込まれるように設けてあり、網戸閉鎖時に網戸の戸先部をガイドするガイド部を有することを特徴とするサッシ。
【発明の詳細な説明】
【技術分野】
【０００１】
本発明は、網戸付きのサッシに関する。
【背景技術】
【０００２】
引違い窓では、外障子よりも室外側に網戸が左右方向に移動可能に設けられる（例えば、非特許文献１参照。）。こうした網戸は、強風等により勝手に動いてしまうおそれがあった。
【先行技術文献】
【非特許文献】
【０００３】
【非特許文献１】三協立山アルミ株式会社発行のカタログ「ＭＴＧ−７０ｓｅｒｉｅｓ 図面集」（カタログＮｏ．ＳＴＢ００７７Ｈ Ｓ．０９．０３−０２５）、２００９年３月、ｐ．３９４
【発明の概要】
【発明が解決しようとする課題】
【０００４】
本発明は以上に述べた実情に鑑み、強風等により網戸が勝手に動くのを防止できるサッシの提供を目的とする。
【課題を解決するための手段】
【０００５】
上記の課題を達成するために請求項１記載の発明によるサッシは、枠と網戸とを備え、竪枠にロック部品が取付けてあり、網戸の戸先部に受け部品が取付けてあり、ロック部品は、操作部を操作することで受け部品と係脱するものであり、操作部は、障子を閉鎖した状態で障子の戸先部にのみ込まれていることを特徴とする。
【０００６】
請求項２記載の発明によるサッシは、枠と網戸とを備え、竪枠にロック部品が取付けてあり、網戸の戸先部に受け部品が取付けてあり、ロック部品は、上下にスライドして受け部品と係脱する係合部を有し、係合部は、網戸を閉鎖したときに網戸の戸先部にのみ込まれるように設けてあり、網戸閉鎖時に網戸の戸先部をガイドするガイド部を有することを特徴とする。
【発明の効果】
【０００７】
請求項１記載の発明によるサッシは、竪枠にロック部品が取付けてあり、網戸の戸先部に受け部品が取付けてあり、ロック部品を受け部品と係合させることで、強風等により網戸が勝手に動くのを防止できる。ロック部品の操作部を閉鎖した状態の障子の戸先部にのみ込ませることで、網戸が面付けタイプであっても竪枠にロック部品を取付けることができ、また、ロック部品が網戸開き側に強く引っ張られても、ロック部品が竪枠と障子の戸先部との間に保持されるため、ロック部品が竪枠から離れることを防止できる。
【０００８】
請求項２記載の発明によるサッシは、竪枠にロック部品が取付けてあり、網戸の戸先部に受け部品が取付けてあり、ロック部品は、上下にスライドして受け部品と係脱する係合部を有し、係合部を受け部品と係合させることで、強風等により網戸が勝手に動くのを防止できる。ロック部品の係合部は、網戸を閉鎖したときに網戸の戸先部にのみ込まれるように設けてあり、網戸閉鎖時に網戸の戸先部をガイドするガイド部を有することで、網戸の閉まり不良を解消できると共に、係合部と受け部品をスムーズに係合させられる。
【図面の簡単な説明】
【０００９】
【図１】第１実施形態のサッシにおける網戸ロック装置の周辺を拡大して示す横断面図である。
【図２】同網戸ロック装置の分解斜視図である。
【図３】同網戸ロック装置の斜視図である。
【図４】同網戸ロック装置の室内側正面図であって、（ａ）は網戸をロックしたときの状態、（ｂ）は網戸のロックを解除したときの状態を示す。
【図５】本発明のサッシの第１実施形態を示す縦断面図である。
【図６】第１実施形態のサッシの横断面図である。
【図７】第２実施形態のサッシにおける網戸ロック装置の周辺を拡大して示す横断面図である。
【図８】同網戸ロック装置の斜視図である。
【図９】本発明のサッシの第２実施形態を示す縦断面図である。
【図１０】第２実施形態のサッシの横断面図である。
【図１１】第３実施形態のサッシにおける網戸ロック装置の周辺を拡大して示す横断面図である。
【図１２】同網戸ロック装置の斜視図である。
【図１３】本発明のサッシの第３実施形態を示す縦断面図である。
【図１４】第３実施形態のサッシの横断面図である。
【図１５】網戸ロック装置の設置状態の他の例を示す横断面図である。
【発明を実施するための形態】
【００１０】
以下、本発明の実施の形態を図面に基づいて説明する。図１〜６は、本発明に係るサッシの第１実施形態（面付け網戸タイプ）を示している。このサッシは、ビル用の引違いサッシであって、図５，６に示すように、躯体開口部に取付けられる枠１と、枠１内に引違い状に開閉自在に納めた外障子９ａ及び内障子９ｂと、外障子９ａよりも室外側に左右方向に移動自在に納めた網戸２とを備えている。網戸２は、枠１の室外側面と略同面に設けられるいわゆる面付け網戸となっている。
【００１１】
枠１は、図５，６に示すように、上枠１０と下枠１１と左右の竪枠３ａ，３ｂとを枠組みして構成してある。枠１の見込み寸法Ａは、７０ｍｍとなっている。
外障子９ａと内障子９ｂは、上框１２と下框１３と戸先框１４と召合せ框１５とを框組みし、その内側にガラス１６を納めて構成してある。外障子９ａと内障子９ｂは、図５に示すように、上枠１０に設けられたレール１７及び案内溝１８、下枠１１に設けられたレール１９ａ，１９ｂに案内され、上下枠１０，１１の長手方向に沿って摺動自在となっており、図６に示すように、閉鎖時に外障子９ａは室内側から見て左側に、内障子９ｂは室内側から見て右側に位置し、クレセント（図示省略）により施錠される。戸先框１４は、戸先側が開口する溝２０を有し、その溝２０内に戸当りブロック２１が取付けてあり、障子９ａ，９ｂを閉鎖すると、戸当りブロック２１の傾斜面が竪枠３ａ，３ｂの内周側面に突設したフィン２２に当接することで、外障子９ａ，９ｂの戸先部４８が室内側に引き寄せられる。
網戸２は、上框２３と下框２４と左右の竪框２５ａ，２５ｂを框組みし、その内側に網２６を張って構成してある。網戸２は、図５に示すように、上枠１０の室外側端部に形成した垂下片２７と、下枠１１の室外側端部に形成した網戸レール２８とに案内され、上下枠１０，１１の長手方向に沿って摺動可能となっており、内障子９ｂを開けるときは、室内側から見て右側の竪枠３ｂに突き当てられ、外障子９ａを開けるときは、室内側から見て左側の竪枠３ａに突き当てて配置される。網戸２の竪框２５ａ，２５ｂは、戸先側が開口する溝２９を有し、網戸２をどちらかの竪枠３ａ，３ｂに突き当てるようにして閉じると、竪枠３ａ，３ｂの室外側端部に内周側に向けて突設したフィン３０が網戸２の戸先部３１の溝２９内にのみ込まれ、網戸２のばたつきが抑えられる。
【００１２】
本サッシは、網戸２が強風等で勝手に動かないようにするため、図１〜４に示すように、室内側から見て左側の竪枠３ａ及び網戸２の竪框２５ａとの間に網戸ロック装置３２を備えている。網戸ロック装置３２は、竪枠３ａに取付けられるロック部品４と、網戸２の竪框２５ａに取付けられる受け部品５とを有している。
ロック部品４は、図２，３に示すように、竪枠３ａに固定して取付けられる取付け部３３と、取付け部３３に保持されて上下方向に摺動可能に設けられる操作部６及び係合部７とを有している。取付け部３３は、図１，３に示すように、竪枠３ａの室外側端部と外障子９ａの戸先部の溝２０内に突設したフィン２２，３０間に、竪枠３ａの内周側面に沿って配置され、室外側からのネジ３４で竪枠３ａに固定してある。
操作部６は、取付け部３３に設けた上下方向の長孔３５より内周側に突出して設けられ、外障子９ａを閉鎖した状態で操作部６は、外障子９ａの戸先部４８の溝２０内にのみ込まれている（図１参照）。操作部６は、外障子９ａの戸先部４８や戸当りブロック２１と干渉しないように、クリアランスを設けてある。外障子９ａを少し開け、操作部６に指を掛けて上下に動かすと、操作部６と係合部７が一体となって上下にスライドする。
係合部７は、図１に示すように、竪枠３ａの室外側端部のフィン３０を回り込むように外周側が開口した溝型に形成され、網戸２を閉じると係合部７は網戸２の戸先部３１の溝２９内にのみ込まれる。係合部７の室外側の先端部７ａは室内側に向けて若干曲げてある。また、係合部７の内周側の２箇所のコーナー部７ｂ，７ｂは、Ｒ状に曲げてある。係合部７には、後述する受け部品５の鉤片３６が挿入・係止される孔３７が形成してある。また、係合部７の室内側壁７ｃの上下方向中間部と、操作部６と係合部７との間の繋ぎ部３８の上下方向中間部とには、図１，２に示すように、プレス加工により室外側と外周側にそれぞれ部分的に盛り上がった部分３９ａ，３９ｂが設けてあり、この部分３９ａ，３９ｂで竪枠３ａと当接するようにしている。これにより上下スライド時の摩擦抵抗が軽減されると共に、竪枠３ａと擦れて竪枠３ａに傷が付いたとしても、その傷が見えない。
受け部品５は、網戸２の戸先部３１の溝２９の底面にネジ４０で取付けられる板状の取付部４１と、下向きに鉤状に曲がった鉤片３６とを有している。鉤片３６は、図１に示すように、網戸２の戸先部３１の溝２９内における室内外方向の中央部に配置され、同溝２９内にほぼ納まっている。取付部４１に設けられるネジ４０の挿通孔４２は、図２，３に示すように、上下方向の長孔になっており、受け部品５の取付位置を上下に調整できるようにしてある。
【００１３】
図３に示すように、操作部６及び係合部７を下位置として網戸２を閉めると、ロック部品４の係合部７が網戸２の戸先部３１の溝２９内にのみ込まれると同時に、係合部７の孔３７に受け部品５の鉤片３６が挿入される。このとき、図１に示すように、係合部７が外周側が開口した溝型に形成され、その内周側のコーナー部７ｂ，７ｂがＲ状に形成されていることで、コーナー部７ｂやそれに続く係合部７の室内側壁７ｃ及び室外側壁７ｄがガイド部８となり、網戸２閉鎖時に網戸２の戸先部３１がガイドされるため、網戸２の閉まり不良を解消できると共に、係合部７と受け部品５をスムーズに係合させられる。
そして、図４（ａ）に示すように、操作部６及び係合部７を上位置にスライドさせると、受け部品５の鉤片３６が係合部７の孔３７から下に飛び出し、鉤片３６が係合部７の孔３７から抜けなくなるから、網戸２が強風等で勝手に動かないようにロックされる。
【００１４】
以上に述べたように本サッシは、竪枠３ａに取付けたロック部品４と網戸２の戸先部３１に取付けた受け部品５とを係合させることで、網戸２が強風等により勝手に動くのを防ぐことができ、網戸２の脱落も防ぐことができる。ロック部品４の操作部６を閉鎖した状態の外障子９ａの戸先部４８にのみ込ませることで、網戸２が面付けタイプであっても竪枠３ａにロック部品４を取付けることができ、また、ロック部品４が網戸開き側に強く引っ張られても、ロック部品４が竪枠３ａと外障子９ａの戸先部４８との間に保持されるため（図１参照）、ロック部品４が竪枠３ａから離れることを防止できる。
ロック部品４は、取付け部３３を竪枠３ａに室外側からのネジ３４で固定するようにしており、竪枠３ａにはネジ３４を通す孔を開けるだけで簡単に取付けることができ、既存の竪枠３ａにロック部品４を後付けすることも容易である。また受け部品５は、取付部４１を網戸２の戸先部３１に外周側からのネジ４０で固定するようにしており、網戸２の戸先部３１にネジ４０を通す孔を開けるだけで簡単に取付けることができ、既存の網戸２に受け部品５を後付けすることも容易である。
ロック部品４の係合部７は、網戸２を閉鎖したときに網戸２の戸先部３１の溝２９にのみ込まれるように設けてあり、網戸２閉鎖時に網戸２の戸先部をガイドするガイド部８を有することで、網戸２の閉まり不良を解消できると共に、係合部７と受け部品５をスムーズに係合させられる。また、ロック部品４の係合部７を、平面視で略円弧状に曲がった形状とし、外周の突起をなくしたので、網戸２がない状態でも出入り時に服等が引っ掛かるのを防止できる。また、受け部品５の鉤片３６も網戸２戸先部の溝２９内に設けているため、服等が引っ掛かるのを防止できる。
ロック部品４及び受け部品５は、外障子９ａの戸先部４８と網戸２の戸先部３１とでほとんど隠れるため、意匠性が損なわれない。
【００１５】
図７〜１０は、本発明のサッシの第２実施形態（持ち出し網戸タイプ）を示している。本実施形態のサッシは、図９，１０に示すように、外障子９ａの戸先框１４及び召合せ框１５が枠１よりも室外側にはみ出しており、網戸２は枠１の室外側に持ち出したいわゆる持ち出し網戸となっている。枠１は、第１実施形態のものと兼用である。
【００１６】
本サッシも、図７，８に示すように、竪枠３ａにロック部品４を取付け、網戸２の戸先部３１に受け部品５を取付けてあり、ロック部品４と受け部品５とを係合させることで、網戸２が強風等で動かないようにロックできる。
ロック部品４は、取付け部３３と操作部６が第１実施形態のものと同様に設けられ、係合部７は竪枠３ａの室外側端部のフィン３０を回り込むように設けた屈曲部４３から室外側にのびる延長部４４を介して、竪枠３ａから室外側に持ち出して設けてある。係合部７の形状自体は、第１実施形態と同様に、外周に突起のない溝型に形成してある。受け部品５は、第１実施形態と同一のものを用いている。
本実施形態のサッシも第１実施形態と同様に、網戸２が強風等で勝手に動くのを防止できる、網戸２の閉まり不良を解消できる、ロック部品４の係合部７等に服等が引っ掛かるのを防止できる、ロック部品４及び受け部品５の取付けが容易で、既存のサッシに後付け可能である、といった効果を奏する。
【００１７】
図１１〜１４は、本発明のサッシの第３実施形態（持ち出し大網戸タイプ）を示している。本実施形態のサッシは、図１３，１４に示すように、外障子９ａ及び内障子９ｂが複層ガラス４５を納めた断熱性の高いものとなっており、外障子９ａの戸先框１４及び召合せ框１５が枠１よりも室外側にはみ出しており、網戸２は枠１の室外側に持ち出したいわゆる持ち出し網戸となっている。網戸２の枠１からの持ち出し寸法Ｂは、第２実施形態のものより大きくなっている。枠１は、第１・第２実施形態のものと兼用であり、竪枠３ａ，３ｂには室外側端部のフィン３０に網戸補助材４６を取付けてある。
【００１８】
本サッシも、図１１，１２に示すように、竪枠３ａにロック部品４を取付け、網戸２の戸先部３１に受け部品５を取付けてあり、ロック部品４と受け部品５とを係合させることで、網戸２が強風等で動かないようにロックできる。
ロック部品４は、取付け部３３と操作部６が網戸補助材４６の内周側に配置され、取付け部３３が内周側からのネジ３４で網戸補助材４６に固定してある。係合部７は、網戸補助材４６を回り込むようにして室外側にのびる延長部４４を介して、竪枠３ａから室外側に持ち出して設けてある。係合部７の形状自体は、第１・第２実施形態と同様に、外周に突起のない溝型に形成してある。受け部品５は、第１・第２実施形態と同一のものを用いている。
本実施形態のサッシも第１・第２実施形態と同様に、網戸２が強風等で勝手に動くのを防止できる、網戸２の閉まり不良を解消できる、ロック部品４の係合部７等に服等が引っ掛かるのを防止できる、ロック部品４及び受け部品５の取付けが容易で、既存のサッシに後付け可能である、といった効果を奏する。
【００１９】
以上に述べたように、本発明のサッシは、網戸２が面付けの場合（第１実施形態）、網戸２が持ち出し網戸の場合（第２実施形態）、網戸２をさらに室外側に持ち出して取付ける場合（第３実施形態）の何れにも対応しており、求められるサッシの性能に応じて様々なサッシに柔軟に対応できる。また、何れの場合でもロック部品４と受け部品５の取付けが容易であり、既存のサッシに後付けすることもできる。第１実施形態と第２実施形態でロック部品４の取付け部３３を共通化し、第１〜３実施形態で受け部品５を共通化しているので、コストを抑えることができる。
【００２０】
図１５は、網戸ロック装置３２の設置状態の他の例を示している。竪枠３ａに取付けられるロック部品４と、網戸２の戸先部３１に取付けられる受け部品５は、第１実施形態と同じものである。この例では、外障子９ａの戸先部４８にタイト材４７を設け、タイト材４７がロック部品４の操作部６よりも室外側で竪枠３ａの内周面に当接している。この構成によれば、ロック部品４の操作部６が雨水等に晒されるのを防止できる。
【００２１】
本発明は以上に述べた実施形態に限定されない。ロック部品４と受け部品５は、お互いが係脱自在に設けてあればよく、その具体的な形状は適宜変更することができる。ロック部品４は、ガイド部８を有しないものであってもよい。実施形態のものは、ロック部品４と受け部品５を外障子９ａの戸先側にあたる室内側から見て左側の竪枠３ａ及び竪框２５ａに設けているが、内障子９ｂの戸先側にあたる室内側から見て右側の竪枠３ｂ及び竪框２５ｂに設けることもできる。枠１、障子９ａ，９ｂ及び網戸２の構造は、任意である。本発明のサッシは、障子２枚建てのサッシに限らず、障子３枚建てや４枚建てのサッシに適用することもできる。また、可動障子とＦＩＸ障子とを備える片引きサッシ等とすることもできる。
【符号の説明】
【００２２】
１  枠
２  網戸
３ａ，３ｂ  竪枠
４  ロック部品
５  受け部品
６  操作部
７  係合部
８  ガイド部
３１  網戸の戸先部
４８  障子の戸先部
【図１】
2015232218.tif 000003
【図２】
2015232218.tif 000004
【図３】
2015232218.tif 000005
【図４】
2015232218.tif 000006
【図５】
2015232218.tif 000007
【図６】
2015232218.tif 000008
【図７】
2015232218.tif 000009
【図８】
2015232218.tif 000010
【図９】
2015232218.tif 000011
【図１０】
2015232218.tif 000012
【図１１】
2015232218.tif 000013
【図１２】
2015232218.tif 000014
【図１３】
2015232218.tif 000015
【図１４】
2015232218.tif 000016
【図１５】
2015232218.tif 000017